(57)【要約】      （修正有）【課題】近距離用眼による過度な視力疲労を緩和し、近視の進行を遅らせることができる拡大ディスプレイデバイスを提供する。【解決手段】拡大ディスプレイデバイスは、固定台２、支持アーム３、フリップフレーム４、凸面鏡を含む反射モジュール５、および凹面鏡を含む拡大モジュール６を備える。固定台と支持アームは第１回転軸ユニットＢ１により接続され、支持アームと拡大モジュールは第２回転軸ユニットＢ２により接続される。反射モジュールと拡大モジュールは、両端にそれぞれ第３回転軸ユニットＢ３と第４回転軸ユニットＢ４を有する二つのフリップフレームにより接続される。凹面鏡の虚像結像の原理を利用して、物体を数倍に拡大し、物体距離よりも数倍の遠方に結像し、目に見えるのは２メートル以上の視覚距離、そして拡大した映像である。【選択図】図３
0003217037.tif 000002
【実用新案登録請求の範囲】
【請求項１】
一種の拡大ディスプレイデバイスであり、固定台と支持アームとフリプフレームと反射モジュールと拡大モジュールとを備え、前記固定台の一側には第１回転軸ユニットを設け、前記支持アームの一端は前記第１回転軸ユニットに設置され、もう一端は第２回転軸ユニットを設け、前記フリップフレームは第３回転軸ユニットと第４回転軸ユニットを含み、前記第３回転軸ユニットは前記フリップフレームの一端に、前記第４回転軸ユニットは前記フリップフレームの他端に設置され、前記反射モジュールは反射片を含み、前記反射片は映像を受け取って反射し、前記第３回転軸ユニットは前記反射モジュールの一側に枢接し、前記拡大モジュールは拡大片を含み、前記拡大片は前記反射片が反射する映像を受け取って拡大し、前記第４回転軸ユニットは前記拡大モジュールの一側と枢接し、前記拡大モジュールは前記第２回転軸ユニットと枢接することを特徴とする拡大ディスプレイデバイス。
【請求項２】
前記反射片は一凸面鏡、前記拡大片は一凹面鏡であることを特徴とする請求項１に記載の拡大ディスプレイデバイス。
【請求項３】
前記第３回転軸ユニットは第１トルクバネと、前記フリップフレームの一端に設置される第３エンドブロックと、及び前記反射モジュールの一端に設置された第３シャフトシートから構成され、前記フリップフレームと前記反射モジュールとの枢接に使用され、前記第１トルクバネの弾性回復力で、前記反射モジュールを外側に反転させ、前記第３シャフトシートに設けられた第１位置制限ノッチは、前記第３エンドブロックに設けられた第１位置制限柱に係合し、前記反射モジュールの外向き反転角度を制限することを特徴とする、請求項１に記載の拡大ディスプレイデバイス。
【請求項４】
前記第４回転軸ユニットは第２トルクバネと、前記フリップフレームの他端に設けられた第４エンドブロックと、及び前記拡大モジュール一端の第４シャフトシートから構成され、前記フリップフレームと前記拡大モジュールとの枢接に使用され、前記第２トルクバネの弾性回復力で、前記フリップフレームを外側に反転させ、前記第４シャフトシートに設けられた第２位置制限ノッチは、前記第４エンドブロックに設けられた第２位置制限柱に係合し、前記フリップフレームの外向き反転角度を制限することを特徴とする、請求項１に記載の拡大ディスプレイデバイス。
【請求項５】
前記第１回転軸ユニットは、第１弾力片を含み、前記弾力片は前記支持アーム之角度を固定する弾力を提供し、前記第２回転軸ユニットは第２弾力片を含み、前記第２弾力片は前記拡大モジュールの角度を固定する弾力を提供することを特徴とする請求項１に記載の拡大ディスプレイデバイス。
【請求項６】
前記第２回転軸ユニットと前記拡大モジュールの枢接位置は前記拡大モジュールの裏面に設置されることを特徴とする、請求項１に記載の拡大ディスプレイデバイス。
【請求項７】
前記第２回転軸ユニットと前記拡大モジュールの枢接位置は、前記拡大モジュールの側辺に設置されることを特徴とする、請求項１に記載の拡大ディスプレイデバイス。
【請求項８】
前記固定台の底部は複数滑り止めパッドを設けることを特徴とする、請求項１に記載の拡大ディスプレイデバイス。
【請求項９】
前記固定台には留め具が設けられ、前記留め具は前記反射モジュールに係合して固定することを特徴とする、請求項１に記載の拡大ディスプレイデバイス。
【請求項１０】
前記拡大モジュールの側端部には前記バックル部が設けられ、前記バックル部が対応する前記固定台の位置に、マジックテープ（登録商標）を設置し、前記マジックテープ（登録商標）は前記バックル部に付着し、前記拡大ディスプレイデバイスを収合する際の固定に供することを特徴とする、請求項１に記載の拡大ディスプレイデバイス。
【考案の詳細な説明】
【技術分野】
【０００１】
本考案は拡大ディスプレイデバイスに関し、特に、簡単に操作できる拡大ディスプレイデバイスを指し、近距離用眼による過度な視力疲労を緩和し、近視の進行を遅らせる。
【背景技術】
【０００２】
医学的には、5%が遺伝的要因であるだけでなく、長期的な近視が近視の主因であることが証明されている。日常生活の中での長い近視の活動を思い出してみると、通常はテレビを見ることを連想するが、テレビを見る距離は2、3メートル以上であり、真の近視とはいえない。食事や着こなしなどの動作は、近くで見るが、長く見つめるのではなく、長く見る主な活動は文字を書くはずなので、ここ数年、携帯電話やタブレットやパソコンを見ることが増えている。文字は人類が文明生活に入る主要な肝心な点である。しかし文字があっても人類の眼の癖を変え、文字がない以前、人類はごくまれに長く見てきたので、近視は文明以前の大昔の人類にとって、確率の低い視覚問題が起こるはずであるが、これはなぜ近視遺伝子を持つ人間が進化論から淘汰されないかの理由を解釈するものである。人間が文字を発明した後、近視は少数の文字を読める人々に広がった。教育が普及するにつれ、近視も普遍化し、近年はスマートフォンとタブレットがほとんど人の手に渡る状況で、人類の近視が定着しつつある。
【０００３】
眼科医は字を書くのに30センチの距離を保ち、パソコンは60センチの距離を保つことをよく勧める。30センチ、60センチは魔物の数ではない。距離は目にとって健康だ。操作距離にとらわれているだけで、スクリーンと本に描かれた文字の大きさが遠ざかったらはっきりと見えないので、このようなアドバイスがあったのである。操作距離に限らず、例えばパソコンがマウスを使うと、スクリーンが本より遠くなり、文字の図案が拡大して、本もパソコンのスクリーンも、視覚距離が遠ければ遠いほど、目の健康によい。
【０００４】
近接物を見る時間を短縮することは、字を書く時間を減らさなければならないことを意味し、授業の成績が後退するリスクを招きかねない。携帯電話を遊ばず、子供のレジャーを剥がすことは現実的ではありません。授業の成績と餘暇の選択に最も影響を及ぼさないで、ただ読書、書字の視覚距離を長引くことしかできません。しかし、字体や画面が拡大されていない限り、視力は遠ざかると目の認識能力が下がり、かえって目の疲労を招きやすくなる。しかも、視覚が遠ざかったり、両手が操作できる範囲を越えたりすることもあるし、自然な読書と書字の視野距離は約40センチで、視覚距離を延ばすにはおそらく新しい技術の補助に頼らなければならないだろう。
【０００５】
以上のような問題を解決するために、業界は様々な解決技術案を次々と提案している。
【先行技術文献】
【特許文献】
【０００６】
【特許文献１】中国特許第ＣＮ１０２６９２７１０Ｂ号明細書
【特許文献２】中国特許第ＣＮ２０３０５７２４９Ｕ号明細書
【特許文献３】中国特許第ＣＮ２０３６０８２８２Ｕ号明細書
【特許文献４】中国特許第ＣＮ２０１０６０３１８Ｙ号明細書
【特許文献５】台湾特許第Ｍ５５０５７２号明細書
【特許文献６】台湾特許第Ｉ５１８３６９号明細書
【特許文献７】台湾特許第Ｉ５６３３６１号明細書
【特許文献８】台湾特許第Ｍ５４１４０４号明細書
【特許文献９】台湾特許第Ｍ５３５８１１号明細書
【特許文献１０】台湾特許第Ｍ５３６３６２号明細書
【特許文献１１】台湾特許第Ｍ５４８２７５号明細書
【特許文献１２】台湾特許第２９８６２５号明細書
【０００７】
図1に開示されたように、特許文献１は、青少年の近視進行を制御するための長距離閲覧システム1であり、主に、筐体11と、筐体11内に順次配置された光学拡大素子と垂直素子と、支柱の側面に位置する光源13とを備えている。スクリーン18は、第2平面反射ミラー17の正面の反射光に垂直である。垂直素子は、鏡面角度を調整する分光器つまみ19と、第2平面反射ミラー17とをそれぞれ配置した分光器15と、第2平面反射ミラー17とをそれぞれ中線とする第2平面反射ミラー17とを備え、第2平面反射ミラーつまみ110とをそれぞれ備えている。引用文献CN102692710Bは、文字と図形が5メートル以上あると感じさせることができ、近距離の眼で過度な視力疲労を緩和し、近視の進行を遅らせることができるが、そのコンポーネントが多く、収合が不便である。そのため、使用者は操作上非常に不便に感じさせる。
【考案の概要】
【考案が解決しようとする課題】
【０００８】
前記先行技術は、近距離の眼で過度な視力疲労を緩和し、近視の進行を遅らせることができるが、そのコンポーネントが多く、収合が不便である。そのため、使用者は操作上非常に不便に感じさせる。
【０００９】
前記課題を解決するため、本考案の考案者は数々の研究改良を経て、ついに本考案の拡大ディスプレイデバイスを完成する。すなわち本考案の目的は、容易に操作できる拡大ディスプレイデバイスを提供し、凹面鏡の虚像結像原理を利用し、物体を数倍に拡大し、物体距離より数倍の遠方に結像することで視野の不良効果を大幅に減らすことができ、近距離用眼による過度の視疲労を緩和し、近視の進行を緩和することができる拡大ディスプレイデバイスを提供する。
【課題を解決するための手段】
【００１０】
前記目的を達成するために、本考案の拡大ディスプレイデバイスは固定台と支持アームとフリプスタンドと反射モジュールと拡大モジュールとを備える。固定台の一側には第１回転軸ユニットを設ける。支持アームの一端は前記第１回転軸ユニットに設置され、もう一端は第２回転軸ユニットを設ける。フリップフレームは第３回転軸ユニットと第４回転軸ユニットを含み、第３回転軸ユニットはフリップフレームの一端に、第４回転軸ユニットはフリップフレームの他端に設置される。反射モジュールは反射片を含み、反射片は映像を受け取って反射し、第３回転軸ユニットは反射モジュールの一側に枢接する。前記拡大モジュールは拡大片を含み、拡大片は反射片が反射する映像を受け取って拡大し、第４回転軸ユニットは拡大モジュールの一側と、前記拡大モジュールは第２回転軸ユニットと枢接する。
【００１１】
反射片は凸面鏡であり、拡大片は凹面鏡である。第3回転軸ユニットは、第1トルクバネと、フリップフレームの一端に設けられた第3エンドブロックと、反射モジュールの一端に設けられた第3シャフトシートとから成る。フリップフレームを反射モジュールと枢接するために供する。第1トルクバネの回復した弾力は、反射モジュールを外側に反転させ、第3シャフトシートに設けられた第1位置制限ノッチは、第3エンドブロックに設けられた第1位置制限柱に係合し、反射モジュールの外向き反転角度を制限する。
第4回転軸ユニットは、第2トルクバネと、フリップフレームに設けられた第4エンドブロックと、拡大モジュールの一端に設けられた第4シャフトシートとからなり、フリップフレームと拡大モジュールとの枢接を提供するためである。第2トルクバネ回復した弾力は、フリップフレームを外側に反転させ、第4シャフトシートに設けた第2位置制限ノッチは、第4エンドブロックに設置された第2位置制限柱と係合し、フリップフレームの外向き反転角度を制限した。第1回転軸ユニットは、支持アーム角度固定の弾力を提供する第１弾力片を含む。第2回転軸ユニットは、拡大モジュール角度固定の弾力を提供する第2弾力片を含む。固定台の底部に、複数の滑り止めパッドが設けられている。第2回転軸ユニットと拡大モジュールとの枢接位置は、拡大モジュールの背面または側面に設けられる。
固定台には、反射モジュールを係合して固定する留め具が設けられている。
拡大モジュールは、側端にバックル部が設けられ、バックル部が対応している固定台の位置に、1つのマジックテープ（登録商標）を設置し、バックル部に付着して拡大ディスプレイデバイスが収合するに際しての固定を提供する。
【考案の効果】
【００１２】
本考案の拡大ディスプレイデバイスは、凹面鏡の虚像結像原理により、物体を数倍に拡大し、物体から数倍の遠方に結像し、目は2メートル以上の視距離、拡大した映像を見ることができる。これにより、近視の不良効果を大幅に低減し、近距離用眼による過度な視疲労を緩和し、近視の進行を遅らせることができる。
【図面の簡単な説明】
【００１３】
【図１】先行特許の構成図である。
【図２】本考案の立体分解模式図である。
【図３】本考案の展開を示す斜視図である。
【図４】本考案使用時の実施形態を示す概略図である。
【図５】本考案使用時に展開するダイアグラムである。
【図６】本考案の組み合わせた平面図である。
【図７】本考案の収容時における第1の実施形態の概略図である。
【図８】本考案の収容時における第2の実施形態の概略図である。
【図９】本考案の位置制限構造を展開するときの模式図である。
【図１０】本考案の位置制限構造を収合するときの模式図である。
【図１１】本考案の第４ヒンジを拡大モジュールの裏面に枢接する実施例模式図である。
【考案を実施するための形態】
【００１４】
次に、本考案のその他の効果及び技術特徴についての説明に入る。本技術の熟知者は、以下の説明を読めば本考案の実現が可能となる。
【００１５】
図２および図３に示す通り、本考案の拡大ディスプレイデバイスAは、固定台２と支持アーム３とフリップフレーム４と反射モジュール５と拡大モジュール６とを含む。
固定台２は一側に第１回転軸ユニットB1を設け、書籍を置くことができる。
【００１６】
支持アーム３は、一端が第1回転軸ユニットB1に配置され、第1回転軸ユニットB1は第1弾力片311を含み、第1弾力片311は、第1回転軸ユニットB1の角度が固定された弾力を提供し、支持アーム3の他端には第2回転軸ユニットB2が設けられ、第2回転軸ユニットB2は第2弾力片321を含む。第2弾力片321は前記第2回転軸ユニットB2に角度を固定する弾力を提供する。
【００１７】
フリップフレーム4は第3回転軸ユニットB3と第4回転軸ユニットB4を含み、第3回転軸ユニットB3は、フリップフレーム4の一端に設けられ、第4回転軸ユニットB4は、フリップフレーム4の他方の端部に配置される。
【００１８】
反射モジュール5は、1つの反射片51を含み、反射片51は凸面鏡であり、反射片51は映像を受け取り、その映像を反射する。前記第3回転軸ユニットB3は、反射モジュール5の片側に枢接され、第3回転軸ユニットB3は、反射モジュール5を反転させるための弾力を与える第1のトルクバネC1を備える。
【００１９】
拡大モジュール6は、拡大片61を含み、拡大片61は凹面鏡であり、拡大片61は、反射片51が反射した反射映像を受け取り、その反射映像を拡大して表示する。虚像結像は、凹面鏡の結像を介して動作する。凹面鏡結像公式は：1/p + 1/q = 1/f：f。Jピント、 q。J物体距離p。J映像距離である。一般的な拡大倍率は、虚像を拡大することができ、または同じ比率で虚像距離を遠くにすることができる。拡大片61は、反射片51が反射した反射映像を受け取り、その反射映像を拡大して表示する。第4回転軸ユニットB4は、拡大モジュール6の一側に枢接し、拡大モジュール6は第２回転軸ユニットB2に枢接される。
第4回転軸ユニットB4と拡大モジュール6との枢接位置は、拡大モジュール6の背面または側面に設けられてもよい。第4回転軸ユニットB4は、第2トルクバネC2を含み、第2トルクバネC2は、フリップフレーム4の反転弾力を提供する。
【００２０】
第1回転軸ユニットB1は、一対の固定台2に設けられた第1シャフトシート21と、支持アーム3の一端に設けられた第1エンドブロック31とからなり、支持アーム3が固定台2に樞接することを提供する。第1弾力片311は、第1回転軸ユニットB1の内側に配置され、第1弾力片311は支持アーム3の固定する弾性力を提供する。
【００２１】
第2回転軸ユニットB2は、拡大モジュール6に設けられた第2シャフトシート60と、支持アーム3の他端に設けられた第2エンドブロック32とにより構成され、支持アーム3と拡大モジュール6とが枢接される。第２弾力片３２１は前記第２回転軸ユニットの内側に配置され、第２弾力片は前記拡大モジュールの角度を固定するための弾力を提供する。
【００２２】
第3回転軸ユニットB3は、フリップフレーム4の一端に設けられた第3エンドブロック41と、反射モジュール5の一端に設けられた第3シャフトシート50とからなり、フリップフレーム4に反射モジュールが枢接するに供する。
【００２３】
前記第4回転軸ユニットB4は、フリップフレーム4の他端に設けられた第4エンドブロック42と、拡大モジュール6の一方の端に設けられた第4シャフトシート63とからなり、それによってフリップフレーム4は、拡大モジュール6に枢動可能に接続される。
【００２４】
図４および図５にそれぞれ示されているように、本考案の展開する実施形態の概略図および動作図が示されている。拡大ディスプレイデバイスAが展開されると、反射モジュール5とフリップフレーム4は、第1トルクバネC1と、第2トルクバネC2の外張弾性力を用いて、閲覧位置に自動的に展開される。さらに、支持アーム3と拡大モジュール6との角度位置を手加減方式により微調整し、ユーザに空中結像を拡大する映像を見ることができる。例えば、ユーザが書籍を読むとき、反射片51は書籍の映像を受け取り、その映像を反射する。拡大片61は、反射片51で反射された反射映像を受け取り、拡大された反射映像を表示することにより、遠方の拡大映像をユーザに視認させることができる。
【００２５】
第1トルクバネC1と第2トルクバネC2は、本考案の収合位置において圧縮状態となる。故に、本考案展開使用時には、第1トルクバネC1と第2トルクバネC2との弾性力の復元力を用いて、フリップフレーム4と反射モジュール5とを外向きに反転させる。反転時には、予め設定された位置（例えば、45度に回動する場合）に変更する場合には、第3シャフトシート50に設けられた第1位置制限ノッチ501は第3エンドブロック41に設けた第1位置制限柱411と係合する。それによって、反射モジュール5の外向き反転角度および収合を制限するために使用される。第4シャフトシート63に設けられた第2位置制限ノッチ631は、第4エンドブロック42に設けられた第2位置制限柱421に係合し、それによって、フリップフレーム4の外側反転角度及び収合を制限している(第9、10図に示される)。
【００２６】
本考案の第2回転軸ユニットB2と拡大モジュール6の枢接位置と理想的な枢接位置は、拡大モジュール6の裏面上端、または拡大モジュール6の裏面の任意の部位または底部に設け、または、拡大モジュール6の側面に設けることもできる（図11参照）。
【００２７】
本考案の実施形態は、物理光学において凹面鏡の虚像結像の原理を利用して、物体を数倍に拡大し、物体距離の数倍の遠方に結像することができる。
光学技術を上手に利用すれば、長時間に近くの物体を学童が見ているという問題を解決できる。光学裝置の下に本を置いて、字を書いたり、携帯電話を遊んだりして、目に見えるのは2メートル以上の視覚距離で、拡大した映像である。ように学童の近い距離でみる癖の不良効果を大幅に低減することができる。
【００２８】
図２、図６に示すように、固定台2の底部には、拡大ディスプレイデバイスAの滑り防止のため、複数の滑り止めパッド22が設けられている。
【００２９】
図７に示されるように、本考案の収合固定の第1実施形態の概略図である。固定台2には、留め具23が設けられており、本考案が収合位置において、留め具23で反射モジュール5の一側を係止し、拡大ディスプレイデバイスAの収合固定を提供する。
【００３０】
図２、図8に示されるように、本考案の収容固定の第2実施形態の概略図である。拡大モジュール6の側端部にはバックル部62が設けられており、本考案は収合位置において、バックル部62が固定台２との相対位置にマジックテープ（登録商標）24を設け、マジックテープ（登録商標）24とバックル部62とを貼り付けることにより、拡大ディスプレイデバイスAを固定する。
【００３１】
以上をまとめると、本考案は容易に操作可能な拡大ディスプレイデバイスを提供する。凹面鏡の虚像結像原理を利用して物体を数倍拡大し、物体距離より数倍の遠方に結像させることができ、目に見えるのは2メートル以上の視力距離で拡大した映像で、近距離用眼による過度な視力の疲労を和らげます。従って、近視の進行を緩め、昔式の欠点を効果的に解決し、しかもその技術手段は以前の技術になかったため、本考案は斬新性と進歩性要件を備えている。
【００３２】
本考案で提案された具体的な実施形態は、本考案の技術、内容を説明するためだけであって、本考案を狹義に上記の実施形態に限定するものではない。本考案の精神と実用新案登録の範囲を超えない状況で、行った種々の変化実施は、依然として本考案の範囲に属する。
【符号の説明】
【００３３】
〔従来の技術〕
１  長距離閲覧システム
１１  ケース
１２  レンズ
１３  光源
１４  第1平面ミラー
１５  分光器
１６  凹面鏡
１７  第2平面ミラー
１８  スクリーン
１９  分光器のつまみ
１１０  第2平面ミラーのつまみ
〔本考案〕
Ａ  拡大ディスプレイデバイス
B1    第１回転軸ユニット
B2    第２回転軸ユニット
B3    第３回転軸ユニット
B4    第４回転軸ユニット
C1    第１トルクバネ
C2    第２トルクバネ
２    固定台
２１  第１シャフトシート
２２  滑り止めパッド
２３  留め具
２４  マジックテープ（登録商標）
３    支持アーム
３１    第１エンドブロック
３１１  第１弾力片
３２    第１エンドブロック
３２１  第２弾力片
４      フリップフレーム
４１    第３エンドブロック
４１１  第１位置制限柱
４２    第４エンドブロック
４２１  第２位置制限柱
５      反射モジュール
５０    第３シャフトシート
５０１  第１位置制限ノッチ
５１    反射片
６      拡大モジュール
６１    拡大片
６２    バックル部
６３    第４シャフトシート
６３１  第２位置制限ノッチ
【図１】
0003217037.tif 000003
【図２】
0003217037.tif 000004
【図３】
0003217037.tif 000005
【図４】
0003217037.tif 000006
【図５】
0003217037.tif 000007
【図６】
0003217037.tif 000008
【図７】
0003217037.tif 000009
【図８】
0003217037.tif 000010
【図９】
0003217037.tif 000011
【図１０】
0003217037.tif 000012
【図１１】
0003217037.tif 000013
【手続補正書】
【提出日】平成30年5月8日(2018.5.8)
【手続補正１】
【補正対象書類名】明細書
【補正対象項目名】全文
【補正方法】変更
【補正の内容】
【考案の詳細な説明】
【技術分野】
【０００１】
本考案は拡大ディスプレイデバイスに関し、特に、簡単に操作できる拡大ディスプレイデバイスを指し、近距離用眼による過度な視力疲労を緩和し、近視の進行を遅らせる。
【背景技術】
【０００２】
医学的には、5%が遺伝的要因であるだけでなく、長期的な近視が近視の主因であることが証明されている。日常生活の中での長い近視の活動を思い出してみると、通常はテレビを見ることを連想するが、テレビを見る距離は2、3メートル以上であり、真の近視とはいえない。食事や着こなしなどの動作は、近くで見るが、長く見つめるのではなく、長く見る主な活動は文字を書くはずなので、ここ数年、携帯電話やタブレットやパソコンを見ることが増えている。文字は人類が文明生活に入る主要な肝心な点である。しかし文字があっても人類の眼の癖を変え、文字がない以前、人類はごくまれに長く見てきたので、近視は文明以前の大昔の人類にとって、確率の低い視覚問題が起こるはずであるが、これはなぜ近視遺伝子を持つ人間が進化論から淘汰されないかの理由を解釈するものである。人間が文字を発明した後、近視は少数の文字を読める人々に広がった。教育が普及するにつれ、近視も普遍化し、近年はスマートフォンとタブレットがほとんど人の手に渡る状況で、人類の近視が定着しつつある。
【０００３】
眼科医は字を書くのに30センチの距離を保ち、パソコンは60センチの距離を保つことをよく勧める。30センチ、60センチは魔物の数ではない。距離は目にとって健康だ。操作距離にとらわれているだけで、スクリーンと本に描かれた文字の大きさが遠ざかったらはっきりと見えないので、このようなアドバイスがあったのである。操作距離に限らず、例えばパソコンがマウスを使うと、スクリーンが本より遠くなり、文字の図案が拡大して、本もパソコンのスクリーンも、視覚距離が遠ければ遠いほど、目の健康によい。
【０００４】
近接物を見る時間を短縮することは、字を書く時間を減らさなければならないことを意味し、授業の成績が後退するリスクを招きかねない。携帯電話を遊ばず、子供のレジャーを剥がすことは現実的ではありません。授業の成績と餘暇の選択に最も影響を及ぼさないで、ただ読書、書字の視覚距離を長引くことしかできません。しかし、字体や画面が拡大されていない限り、視力は遠ざかると目の認識能力が下がり、かえって目の疲労を招きやすくなる。しかも、視覚が遠ざかったり、両手が操作できる範囲を越えたりすることもあるし、自然な読書と書字の視野距離は約40センチで、視覚距離を延ばすにはおそらく新しい技術の補助に頼らなければならないだろう。
【０００５】
以上のような問題を解決するために、業界は様々な解決技術案を次々と提案している。
【先行技術文献】
【特許文献】
【０００６】
【特許文献１】中国特許第ＣＮ１０２６９２７１０Ｂ号明細書
【特許文献２】中国特許第ＣＮ２０３０５７２４９Ｕ号明細書
【特許文献３】中国特許第ＣＮ２０３６０８２８２Ｕ号明細書
【特許文献４】中国特許第ＣＮ２０１０６０３１８Ｙ号明細書
【特許文献５】台湾特許第Ｍ５５０５７２号明細書
【特許文献６】台湾特許第Ｉ５１８３６９号明細書
【特許文献７】台湾特許第Ｉ５６３３６１号明細書
【特許文献８】台湾特許第Ｍ５４１４０４号明細書
【特許文献９】台湾特許第Ｍ５３５８１１号明細書
【特許文献１０】台湾特許第Ｍ５３６３６２号明細書
【特許文献１１】台湾特許第Ｍ５４８２７５号明細書
【特許文献１２】台湾特許第２９８６２５号明細書
【０００７】
図1に開示されたように、特許文献１は、青少年の近視進行を制御するための長距離閲覧システム1であり、主に、筐体11と、筐体11内に順次配置された光学拡大素子と垂直素子と、支柱の側面に位置する光源13とを備えている。スクリーン18は、第2平面反射ミラー17の正面の反射光に垂直である。垂直素子は、鏡面角度を調整する分光器つまみ19と、第2平面反射ミラー17とをそれぞれ配置した分光器15と、第2平面反射ミラー17とをそれぞれ中線とする第2平面反射ミラー17とを備え、第2平面反射ミラーつまみ110とをそれぞれ備えている。引用文献CN102692710Bは、文字と図形が5メートル以上あると感じさせることができ、近距離の眼で過度な視力疲労を緩和し、近視の進行を遅らせることができるが、そのコンポーネントが多く、収合が不便である。そのため、使用者は操作上非常に不便に感じさせる。
【考案の概要】
【考案が解決しようとする課題】
【０００８】
前記先行技術は、近距離の眼で過度な視力疲労を緩和し、近視の進行を遅らせることができるが、そのコンポーネントが多く、収合が不便である。そのため、使用者は操作上非常に不便に感じさせる。
【０００９】
前記課題を解決するため、本考案の考案者は数々の研究改良を経て、ついに本考案の拡大ディスプレイデバイスを完成する。すなわち本考案の目的は、容易に操作できる拡大ディスプレイデバイスを提供し、凹面鏡の虚像結像原理を利用し、物体を数倍に拡大し、物体距離より数倍の遠方に結像することで視野の不良効果を大幅に減らすことができ、近距離用眼による過度の視疲労を緩和し、近視の進行を緩和することができる拡大ディスプレイデバイスを提供する。
【課題を解決するための手段】
【００１０】
前記目的を達成するために、本考案の拡大ディスプレイデバイスは固定台と支持アームとフリプスタンドと反射モジュールと拡大モジュールとを備える。固定台の一側には第１回転軸ユニットを設ける。支持アームの一端は前記第１回転軸ユニットに設置され、もう一端は第２回転軸ユニットを設ける。フリップフレームは第３回転軸ユニットと第４回転軸ユニットを含み、第３回転軸ユニットはフリップフレームの一端に、第４回転軸ユニットはフリップフレームの他端に設置される。反射モジュールは反射片を含み、反射片は映像を受け取って反射し、第３回転軸ユニットは反射モジュールの一側に枢接する。前記拡大モジュールは拡大片を含み、拡大片は反射片が反射する映像を受け取って拡大し、第４回転軸ユニットは拡大モジュールの一側と、前記拡大モジュールは第２回転軸ユニットと枢接する。
【００１１】
反射片は凸面鏡であり、拡大片は凹面鏡である。第3回転軸ユニットは、第1トルクバネと、フリップフレームの一端に設けられた第3エンドブロックと、反射モジュールの一端に設けられた第3シャフトシートとから成る。フリップフレームを反射モジュールと枢接するために供する。第1トルクバネの回復した弾力は、反射モジュールを外側に反転させ、第3シャフトシートに設けられた第1位置制限ノッチは、第3エンドブロックに設けられた第1位置制限柱に係合し、反射モジュールの外向き反転角度を制限する。
第4回転軸ユニットは、第2トルクバネと、フリップフレームに設けられた第4エンドブロックと、拡大モジュールの一端に設けられた第4シャフトシートとからなり、フリップフレームと拡大モジュールとの枢接を提供するためである。第2トルクバネ回復した弾力は、フリップフレームを外側に反転させ、第4シャフトシートに設けた第2位置制限ノッチは、第4エンドブロックに設置された第2位置制限柱と係合し、フリップフレームの外向き反転角度を制限した。第1回転軸ユニットは、支持アーム角度固定の弾力を提供する第１弾力片を含む。第2回転軸ユニットは、拡大モジュール角度固定の弾力を提供する第2弾力片を含む。固定台の底部に、複数の滑り止めパッドが設けられている。第2回転軸ユニットと拡大モジュールとの枢接位置は、拡大モジュールの背面または側面に設けられる。
固定台には、反射モジュールを係合して固定する留め具が設けられている。
拡大モジュールは、側端にバックル部が設けられ、バックル部が対応している固定台の位置に、1つの面ファスナーを設置し、バックル部に付着して拡大ディスプレイデバイスが収合するに際しての固定を提供する。
【考案の効果】
【００１２】
本考案の拡大ディスプレイデバイスは、凹面鏡の虚像結像原理により、物体を数倍に拡大し、物体から数倍の遠方に結像し、目は2メートル以上の視距離、拡大した映像を見ることができる。これにより、近視の不良効果を大幅に低減し、近距離用眼による過度な視疲労を緩和し、近視の進行を遅らせることができる。
【図面の簡単な説明】
【００１３】
【図１】先行特許の構成図である。
【図２】本考案の立体分解模式図である。
【図３】本考案の展開を示す斜視図である。
【図４】本考案使用時の実施形態を示す概略図である。
【図５】本考案使用時に展開するダイアグラムである。
【図６】本考案の組み合わせた平面図である。
【図７】本考案の収容時における第1の実施形態の概略図である。
【図８】本考案の収容時における第2の実施形態の概略図である。
【図９】本考案の位置制限構造を展開するときの模式図である。
【図１０】本考案の位置制限構造を収合するときの模式図である。
【図１１】本考案の第４ヒンジを拡大モジュールの裏面に枢接する実施例模式図である。
【考案を実施するための形態】
【００１４】
次に、本考案のその他の効果及び技術特徴についての説明に入る。本技術の熟知者は、以下の説明を読めば本考案の実現が可能となる。
【００１５】
図２および図３に示す通り、本考案の拡大ディスプレイデバイスAは、固定台２と支持アーム３とフリップフレーム４と反射モジュール５と拡大モジュール６とを含む。
固定台２は一側に第１回転軸ユニットB1を設け、書籍を置くことができる。
【００１６】
支持アーム３は、一端が第1回転軸ユニットB1に配置され、第1回転軸ユニットB1は第1弾力片311を含み、第1弾力片311は、第1回転軸ユニットB1の角度が固定された弾力を提供し、支持アーム3の他端には第2回転軸ユニットB2が設けられ、第2回転軸ユニットB2は第2弾力片321を含む。第2弾力片321は前記第2回転軸ユニットB2に角度を固定する弾力を提供する。
【００１７】
フリップフレーム4は第3回転軸ユニットB3と第4回転軸ユニットB4を含み、第3回転軸ユニットB3は、フリップフレーム4の一端に設けられ、第4回転軸ユニットB4は、フリップフレーム4の他方の端部に配置される。
【００１８】
反射モジュール5は、1つの反射片51を含み、反射片51は凸面鏡であり、反射片51は映像を受け取り、その映像を反射する。前記第3回転軸ユニットB3は、反射モジュール5の片側に枢接され、第3回転軸ユニットB3は、反射モジュール5を反転させるための弾力を与える第1のトルクバネC1を備える。
【００１９】
拡大モジュール6は、拡大片61を含み、拡大片61は凹面鏡であり、拡大片61は、反射片51が反射した反射映像を受け取り、その反射映像を拡大して表示する。虚像結像は、凹面鏡の結像を介して動作する。凹面鏡結像公式は：1/p + 1/q = 1/f：f。Jピント、 q。J物体距離p。J映像距離である。一般的な拡大倍率は、虚像を拡大することができ、または同じ比率で虚像距離を遠くにすることができる。拡大片61は、反射片51が反射した反射映像を受け取り、その反射映像を拡大して表示する。第4回転軸ユニットB4は、拡大モジュール6の一側に枢接し、拡大モジュール6は第２回転軸ユニットB2に枢接される。
第4回転軸ユニットB4と拡大モジュール6との枢接位置は、拡大モジュール6の背面または側面に設けられてもよい。第4回転軸ユニットB4は、第2トルクバネC2を含み、第2トルクバネC2は、フリップフレーム4の反転弾力を提供する。
【００２０】
第1回転軸ユニットB1は、一対の固定台2に設けられた第1シャフトシート21と、支持アーム3の一端に設けられた第1エンドブロック31とからなり、支持アーム3が固定台2に樞接することを提供する。第1弾力片311は、第1回転軸ユニットB1の内側に配置され、第1弾力片311は支持アーム3の固定する弾性力を提供する。
【００２１】
第2回転軸ユニットB2は、拡大モジュール6に設けられた第2シャフトシート60と、支持アーム3の他端に設けられた第2エンドブロック32とにより構成され、支持アーム3と拡大モジュール6とが枢接される。第２弾力片３２１は前記第２回転軸ユニットの内側に配置され、第２弾力片は前記拡大モジュールの角度を固定するための弾力を提供する。
【００２２】
第3回転軸ユニットB3は、フリップフレーム4の一端に設けられた第3エンドブロック41と、反射モジュール5の一端に設けられた第3シャフトシート50とからなり、フリップフレーム4に反射モジュールが枢接するに供する。
【００２３】
前記第4回転軸ユニットB4は、フリップフレーム4の他端に設けられた第4エンドブロック42と、拡大モジュール6の一方の端に設けられた第4シャフトシート63とからなり、それによってフリップフレーム4は、拡大モジュール6に枢動可能に接続される。
【００２４】
図４および図５にそれぞれ示されているように、本考案の展開する実施形態の概略図および動作図が示されている。拡大ディスプレイデバイスAが展開されると、反射モジュール5とフリップフレーム4は、第1トルクバネC1と、第2トルクバネC2の外張弾性力を用いて、閲覧位置に自動的に展開される。さらに、支持アーム3と拡大モジュール6との角度位置を手加減方式により微調整し、ユーザに空中結像を拡大する映像を見ることができる。例えば、ユーザが書籍を読むとき、反射片51は書籍の映像を受け取り、その映像を反射する。拡大片61は、反射片51で反射された反射映像を受け取り、拡大された反射映像を表示することにより、遠方の拡大映像をユーザに視認させることができる。
【００２５】
第1トルクバネC1と第2トルクバネC2は、本考案の収合位置において圧縮状態となる。故に、本考案展開使用時には、第1トルクバネC1と第2トルクバネC2との弾性力の復元力を用いて、フリップフレーム4と反射モジュール5とを外向きに反転させる。反転時には、予め設定された位置（例えば、45度に回動する場合）に変更する場合には、第3シャフトシート50に設けられた第1位置制限ノッチ501は第3エンドブロック41に設けた第1位置制限柱411と係合する。それによって、反射モジュール5の外向き反転角度および収合を制限するために使用される。第4シャフトシート63に設けられた第2位置制限ノッチ631は、第4エンドブロック42に設けられた第2位置制限柱421に係合し、それによって、フリップフレーム4の外側反転角度及び収合を制限している(第9、10図に示される)。
【００２６】
本考案の第2回転軸ユニットB2と拡大モジュール6の枢接位置と理想的な枢接位置は、拡大モジュール6の裏面上端、または拡大モジュール6の裏面の任意の部位または底部に設け、または、拡大モジュール6の側面に設けることもできる（図11参照）。
【００２７】
本考案の実施形態は、物理光学において凹面鏡の虚像結像の原理を利用して、物体を数倍に拡大し、物体距離の数倍の遠方に結像することができる。
光学技術を上手に利用すれば、長時間に近くの物体を学童が見ているという問題を解決できる。光学裝置の下に本を置いて、字を書いたり、携帯電話を遊んだりして、目に見えるのは2メートル以上の視覚距離で、拡大した映像である。ように学童の近い距離でみる癖の不良効果を大幅に低減することができる。
【００２８】
図２、図６に示すように、固定台2の底部には、拡大ディスプレイデバイスAの滑り防止のため、複数の滑り止めパッド22が設けられている。
【００２９】
図７に示されるように、本考案の収合固定の第1実施形態の概略図である。固定台2には、留め具23が設けられており、本考案が収合位置において、留め具23で反射モジュール5の一側を係止し、拡大ディスプレイデバイスAの収合固定を提供する。
【００３０】
図２、図8に示されるように、本考案の収容固定の第2実施形態の概略図である。拡大モジュール6の側端部にはバックル部62が設けられており、本考案は収合位置において、バックル部62が固定台２との相対位置に面ファスナー24を設け、面ファスナー24とバックル部62とを貼り付けることにより、拡大ディスプレイデバイスAを固定する。
【００３１】
以上をまとめると、本考案は容易に操作可能な拡大ディスプレイデバイスを提供する。
凹面鏡の虚像結像原理を利用して物体を数倍拡大し、物体距離より数倍の遠方に結像させることができ、目に見えるのは2メートル以上の視力距離で拡大した映像で、近距離用眼による過度な視力の疲労を和らげます。従って、近視の進行を緩め、昔式の欠点を効果的に解決し、しかもその技術手段は以前の技術になかったため、本考案は斬新性と進歩性要件を備えている。
【００３２】
本考案で提案された具体的な実施形態は、本考案の技術、内容を説明するためだけであって、本考案を狹義に上記の実施形態に限定するものではない。本考案の精神と実用新案登録の範囲を超えない状況で、行った種々の変化実施は、依然として本考案の範囲に属する。
【符号の説明】
【００３３】
〔従来の技術〕
１  長距離閲覧システム
１１  ケース
１２  レンズ
１３  光源
１４  第1平面ミラー
１５  分光器
１６  凹面鏡
１７  第2平面ミラー
１８  スクリーン
１９  分光器のつまみ
１１０  第2平面ミラーのつまみ
〔本考案〕
Ａ  拡大ディスプレイデバイス
B1    第１回転軸ユニット
B2    第２回転軸ユニット
B3    第３回転軸ユニット
B4    第４回転軸ユニット
C1    第１トルクバネ
C2    第２トルクバネ
２    固定台
２１  第１シャフトシート
２２  滑り止めパッド
２３  留め具
２４  面ファスナー
３    支持アーム
３１    第１エンドブロック
３１１  第１弾力片
３２    第１エンドブロック
３２１  第２弾力片
４      フリップフレーム
４１    第３エンドブロック
４１１  第１位置制限柱
４２    第４エンドブロック
４２１  第２位置制限柱
５      反射モジュール
５０    第３シャフトシート
５０１  第１位置制限ノッチ
５１    反射片
６      拡大モジュール
６１    拡大片
６２    バックル部
６３    第４シャフトシート
６３１  第２位置制限ノッチ
【手続補正２】
【補正対象書類名】実用新案登録請求の範囲
【補正対象項目名】全文
【補正方法】変更
【補正の内容】
【実用新案登録請求の範囲】
【請求項１】
一種の拡大ディスプレイデバイスであり、固定台と支持アームとフリップフレームと反射モジュールと拡大モジュールとを備え、前記固定台の一側には第１回転軸ユニットを設け、前記支持アームの一端は前記第１回転軸ユニットに設置され、もう一端は第２回転軸ユニットを設け、前記フリップフレームは第３回転軸ユニットと第４回転軸ユニットを含み、前記第３回転軸ユニットは前記フリップフレームの一端に、前記第４回転軸ユニットは前記フリップフレームの他端に設置され、前記反射モジュールは反射片を含み、前記反射片は映像を受け取って反射し、前記第３回転軸ユニットは前記反射モジュールの一側に枢接し、前記拡大モジュールは拡大片を含み、前記拡大片は前記反射片が反射する映像を受け取って拡大し、前記第４回転軸ユニットは前記拡大モジュールの一側と枢接し、前記拡大モジュールは前記第２回転軸ユニットと枢接することを特徴とする拡大ディスプレイデバイス。
【請求項２】
前記反射片は一凸面鏡、前記拡大片は一凹面鏡であることを特徴とする請求項１に記載の拡大ディスプレイデバイス。
【請求項３】
前記第３回転軸ユニットは第１トルクバネと、前記フリップフレームの一端に設置される第３エンドブロックと、及び前記反射モジュールの一端に設置された第３シャフトシートから構成され、前記フリップフレームと前記反射モジュールとの枢接に使用され、前記第１トルクバネの弾性回復力で、前記反射モジュールを外側に反転させ、前記第３シャフトシートに設けられた第１位置制限ノッチは、前記第３エンドブロックに設けられた第１位置制限柱に係合し、前記反射モジュールの外向き反転角度を制限することを特徴とする、請求項１に記載の拡大ディスプレイデバイス。
【請求項４】
前記第４回転軸ユニットは第２トルクバネと、前記フリップフレームの他端に設けられた第４エンドブロックと、及び前記拡大モジュール一端の第４シャフトシートから構成され、前記フリップフレームと前記拡大モジュールとの枢接に使用され、前記第２トルクバネの弾性回復力で、前記フリップフレームを外側に反転させ、前記第４シャフトシートに設けられた第２位置制限ノッチは、前記第４エンドブロックに設けられた第２位置制限柱に係合し、前記フリップフレームの外向き反転角度を制限することを特徴とする、請求項１に記載の拡大ディスプレイデバイス。
【請求項５】
前記第１回転軸ユニットは、第１弾力片を含み、前記第１弾力片は前記支持アームの角度を固定する弾力を提供し、前記第２回転軸ユニットは第２弾力片を含み、前記第２弾力片は前記拡大モジュールの角度を固定する弾力を提供することを特徴とする請求項１に記載の拡大ディスプレイデバイス。
【請求項６】
前記第２回転軸ユニットと前記拡大モジュールの枢接位置は前記拡大モジュールの裏面に設置されることを特徴とする、請求項１に記載の拡大ディスプレイデバイス。
【請求項７】
前記第２回転軸ユニットと前記拡大モジュールの枢接位置は、前記拡大モジュールの側辺に設置されることを特徴とする、請求項１に記載の拡大ディスプレイデバイス。
【請求項８】
前記固定台の底部は複数滑り止めパッドを設けることを特徴とする、請求項１に記載の拡大ディスプレイデバイス。
【請求項９】
前記固定台には留め具が設けられ、前記留め具は前記反射モジュールに係合して固定することを特徴とする、請求項１に記載の拡大ディスプレイデバイス。
【請求項１０】
前記拡大モジュールの側端部にはバックル部が設けられ、前記バックル部が対応する前記固定台の位置に、面ファスナーを設置し、前記面ファスナーは前記バックル部に付着し、前記拡大ディスプレイデバイスを収合する際の固定に供することを特徴とする、請求項１に記載の拡大ディスプレイデバイス。